(57)【要約】【課題】表示制御に際し、画像の中にある文字を直接認識して、その文字情報に対応して表示制御を行うことで、より多様な形での表示制御を可能とする。【解決手段】入力画像を画面に表示するモニタ部２６と、入力画像から文字や図形の情報を認識する情報認識部３１と、モニタ部２６による画像表示を制御するＴＶマイコン２１と、画像表示を制御するための条件となる文字や図形の情報テーブルを予め格納するメモリ部２９とを備え、ＴＶマイコン２１は、入力画像の表示中に情報認識部３１によって文字や図形の情報が認識されると、その認識された文字や図形の情報とメモリ部２９に記憶されている文字情報テーブルまたは図形テーブルに登録されている文字または図形情報とを比較し、一致する文字または図形情報がある場合には、モニタ部２６に表示されている当該入力画像の表示制御を行う。【選択図】図１
2009188871.tif 000002
【特許請求の範囲】
【請求項１】
入力画像を画面に表示する表示手段と、
前記入力画像から文字及び／または図形情報を認識する情報認識手段と、
前記表示手段による画像表示を制御する表示制御手段とを備え、
前記表示制御手段は、前記入力画像の表示中に前記情報認識手段によって文字及び／または図形情報が認識されると、前記表示手段に表示されている当該入力画像の表示制御を行うことを特徴とする画像表示制御装置。
【請求項２】
入力画像を画面に表示する表示手段と、
前記入力画像から文字及び／または図形情報を認識する情報認識手段と、
前記表示手段による画像表示を制御する表示制御手段と、
前記画像表示を制御するための条件となる文字及び／または図形情報を予め記憶する記憶手段とを備え、
前記表示制御手段は、前記入力画像の表示中に前記情報認識手段によって文字及び／または図形情報が認識されると、その認識された文字及び／または図形情報と前記記憶手段に記憶されている文字及び／または図形情報とを比較し、一致する文字及び／または図形情報がある場合には、前記表示手段に表示されている当該入力画像の表示制御を行うことを特徴とする画像表示制御装置。
【請求項３】
入力画像を画面に表示する表示手段と、
前記入力画像から文字及び／または図形情報を認識する情報認識手段と、
前記表示手段による画像表示を制御する表示制御手段と、
前記画像表示を制御するための条件となる文字及び／または図形情報とその制御内容とを予め対応付けて記憶する記憶手段とを備え、
前記表示制御手段は、前記入力画像の表示中に前記情報認識手段によって文字及び／または図形情報が認識されると、その認識された文字及び／または図形情報と前記記憶手段に記憶されている文字及び／または図形情報とを比較し、一致する文字及び／または図形情報がある場合には、その情報に対応付けられている制御内容に基づいて前記表示手段に表示されている当該入力画像の表示制御を行うことを特徴とする画像表示制御装置。
【請求項４】
請求項１ないし請求項３のいずれか１項に記載の画像表示制御装置において、
前記情報認識手段が、前記入力画像の全体若しくは特定領域に対して認識処理を行うことによってその入力画像に含まれている文字画像を認識するものであることを特徴とする画像表示制御装置。
【請求項５】
請求項１ないし請求項４のいずれか１項に記載の画像表示制御装置において、
前記表示制御手段による表示制御が、前記表示手段の表示画面の明るさを制御するもの、または表示画面のオン、オフを制御するものであることを特徴とする画像表示制御装置。
【請求項６】
請求項１ないし請求項４のいずれか１項に記載の画像表示制御装置において、
周囲の明るさを検出する照度検出手段を備えており、
前記表示制御手段は、表示制御に際し、前記照度検出手段により検出された周囲の明るさが予め設定されている照度レベルより低い場合には、表示画面を暗くする制御または表示画面をオフにする制御を行うことを特徴とする画像表示制御装置。
【請求項７】
請求項１ないし請求項４のいずれか１項に記載の画像表示制御装置において、
視聴者までの距離を検出する距離検出手段を備えており、
前記表示制御手段は、表示制御に際し、前記距離検出手段により検出された視聴者までの距離が予め設定されている距離より近い場合には、前記表示手段の表示画面を暗くする制御または表示画面をオフにする制御を行うことを特徴とする画像表示制御装置。
【請求項８】
請求項１ないし請求項４のいずれか１項に記載の画像表示制御装置において、
視聴者を撮像する撮像手段を備えており、
前記表示制御手段は、表示制御に際し、前記撮像手段のフォーカス機能によって得られた視聴者までの距離が予め設定されている距離より近い場合には、前記表示手段の表示画面を暗くする制御または表示画面をオフにする制御を行うことを特徴とする画像表示制御装置。
【請求項９】
請求項１ないし請求項４のいずれか１項に記載の画像表示制御装置において、
視聴者を撮像する撮像手段を備えており、
前記表示制御手段は、表示制御に際し、前記撮像手段によって撮像された視聴者の顔サイズが予め設定されている理想位置における顔サイズより大きい場合には、前記表示手段の表示画面を暗くする制御または表示画面をオフにする制御を行うことを特徴とする画像表示制御装置。
【発明の詳細な説明】
【技術分野】
【０００１】
本発明は、映像情報等の入力画像に含まれる文字や図形等の画像情報に基づいて入力画像の表示制御を行う画像表示制御装置に関する。
【背景技術】
【０００２】
従来から、映像情報等の入力画像に含まれる制御情報等に基づいて入力画像の表示制御を行う画像表示制御装置が提案されている（例えば、特許文献１〜５等参照）。
【０００３】
特許文献１には、テレビモニタなどの表示装置に、視聴者の眼の虹彩パターンを撮影する虹彩認識カメラと、虹彩認識カメラで撮影された虹彩パターンに基づいて視聴者を特定する視聴者特定手段とを設け、視聴者が幼児や未成年者の場合には、教育上悪影響を与える画面が表示されるときに、チャンネルを切り替えたり、警告を発したり、電源を切ったりすることが記載されている。
【０００４】
また、特許文献２には、ＴＶカメラのオートフォーカス機構より視聴距離を計測し、視聴距離に応じた複数特性の一つの特性でエッジ付加輪郭強調や音量調節の信号処理を行うことで、視聴距離に応じた最適な画像表示や音声再生などの視聴者支援を行うことが記載されている。
【０００５】
また、特許文献３には、複数の撮像装置で視聴者を撮像し、その複数の画像から距離計測装置でステレオ画像処理により撮像空間中の各点までの距離を測定し、記録装置で基準時刻における画像と距離情報とを記録し、認識装置で記録装置の画像及び距離情報と現時刻の画像及び距離情報から人物の位置を認識し、その認識結果に応じて、視聴者にテレビに近すぎないように注意したり、輝度を低くしたり、音量を小さくしたりすることが記載されている。
【０００６】
また、特許文献４には、カメラ部により撮影した視聴者の画像に基づき、個人認証部によって認証した結果が予め設定された小人であり、ＥＰＧデータを検索した結果、受信番組の種類がアニメーション番組であり、カメラ部による室内の撮影画像に基づいて検出した視聴空間の照度が予め設定された照度レベル以下である場合には、室内の照明を明るくするメッセージをＴＶモニタの画面に表示するか、または電源を強制的にオフとすることが記載されている。
【０００７】
また、特許文献５には、部屋の安全を監視するためのＣＣＤカメラを使用して部屋の明るさを検知して、明るさ自動制御マップを参照することにより、明るさを自動的に調整することが記載されている。
【特許文献１】特開２００１−０１５６５１４号公報
【特許文献２】特開平０９−２４７５６４号公報
【特許文献３】特開２０００−１５２１０９号公報
【特許文献４】特開２００６−１４８７１９号公報
【特許文献５】特開２００６−１５７３８０号公報
【発明の開示】
【発明が解決しようとする課題】
【０００８】
上記したように、カメラ等の撮像装置を用いて視聴者までの距離や室内の明るさを計測し、その計測結果に基づいて、輝度や音量等を調整すること、すなわち表示制御を行うことは従来から行われている。
【０００９】
しかし、例えば特許文献１では、表示制御のためにテキスト情報の読み取り機能を備えているが、予め設定されたテキスト情報のみしか対応できず、画像の中にあるテキスト情報（文字）をその画像から直接読み取るものではない。そのため、対応可能なテキスト情報が制限されてしまい、自ずと表示制御の条件も制限されてしまうといった問題があった。また、特許文献４では、ＥＰＧデータを利用して制御を行うものであり、ＥＰＧデータがなければ表示制御を行うことができないといった問題があった。
【００１０】
すなわち、上記従来の表示制御はいずれも、視聴者自身がそのような制御モードを自らの意思で選択するか、放送信号等に含まれている制御情報に基づいて行うものであり、画像の中にある文字や図形を認識して、その文字や図形の情報に対応して表示制御を行うといった構成については、従来から提案されていない。
【００１１】
本発明はかかる実情に鑑みて創案されたもので、その目的は、表示制御に際し、画像の中にある文字や図形を直接認識して、その文字や図形の画像情報に対応して表示制御を行うことで、より多様な形での表示制御を可能とした画像表示制御装置を提供することにある。
【課題を解決するための手段】
【００１２】
上記課題を解決するため、本発明の画像表示制御装置は、入力画像を画面に表示する表示手段と、前記入力画像から文字及び／または図形情報を認識する情報認識手段と、前記表示手段による画像表示を制御する表示制御手段とを備え、前記表示制御手段は、前記入力画像の表示中に前記情報認識手段によって文字及び／または図形情報が認識されると、前記表示手段に表示されている当該入力画像の表示制御を行うことを特徴としている。また、本発明の画像表示制御装置は、入力画像を画面に表示する表示手段と、前記入力画像から文字及び／または図形情報を認識する情報認識手段と、前記表示手段による画像表示を制御する表示制御手段と、前記画像表示を制御するための条件となる文字及び／または図形情報を予め記憶する記憶手段とを備え、前記表示制御手段は、前記入力画像の表示中に前記情報認識手段によって文字及び／または図形情報が認識されると、その認識された文字及び／または図形情報と前記記憶手段に記憶されている文字及び／または図形情報とを比較し、一致する文字及び／または図形情報がある場合には、前記表示手段に表示されている当該入力画像の表示制御を行うことを特徴としている。さらに、本発明の画像表示制御装置は、入力画像を画面に表示する表示手段と、前記入力画像から文字及び／または図形情報を認識する情報認識手段と、前記表示手段による画像表示を制御する表示制御手段と、前記画像表示を制御するための条件となる文字及び／または図形情報を予め記憶する記憶手段とを備え、前記表示制御手段は、前記入力画像の表示中に前記情報認識手段によって文字及び／または図形情報が認識されると、その認識された文字及び／または図形情報と前記記憶手段に記憶されている文字及び／または図形情報とを比較し、一致する文字及び／または図形情報がある場合には、前記表示手段に表示されている当該入力画像の表示制御を行うことを特徴としている。本発明では、前記情報認識手段は、前記入力画像の全体若しくは特定領域に対して認識処理を行うことによってその入力画像に含まれている文字や図形等の画像を認識するものである。
【００１３】
すなわち、本発明では、入力画像の中の文字画像や図形画像を認識して文字情報や図形情報を取得する構成としている。例えば、放送番組がアニメの場合、開始直後のアニメ画像に「テレビを見るときは明るい場所で、十分に離れて見てください。」といったメッセージが表示されるが、このメッセージは、通常、画像情報とは別に制御情報のような形で送信されてくる。従って、テレビジョン受信装置側では、このメッセージを画像情報とは別に受け取り、処理をして、ＯＳＤ回路により表示画像に重畳して表示している。すなわち、制御情報を解析することで、メッセージ情報を認識する構成となっている。
【００１４】
これに対し、本発明では、このような画像情報とは別に送信されてくるメッセージ情報を認識するのではなく、あくまでテレビ画面に表示された状態の文字や図形等の画像を解析することで、その画像の中に含まれている文字画像や図形画像を文字や図形として認識する構成としている。そのため、本発明の画像表示制御装置では、従来のように画像情報とは別にメッセージ情報が送信されてこなくても、画像の中に直接文字や図形等が書き込まれているような画像から文字や図形等の情報を認識できるので、その応用範囲は非常に広いものとなる。例えば、放送信号だけでなく、駅前のポスターをデジタルカメラで撮影し、その画像データを本装置に取り込むことにより、情報認識手段は、その入力されたポスターの撮影画像の中に文字や図形等の情報が含まれている場合には、その文字や図形等の情報を認識し、その認識結果に基づいて表示制御を行うことも可能である。このように、本発明の画像表示制御装置によれば、放送信号によるテレビ画像の表示制御だけでなく、画像の中に文字や図形等の画像が含まれているような全ての画像情報に対して、本発明の表示制御を行うことが可能であり、新たな技術展開を可能とする発明である。
【００１５】
この場合、前記表示制御手段による表示制御としては、表示画面の明るさを制御する構成、または表示画面のオン、オフを制御する構成とすることができる。すなわち、情報認識手段により入力画像の中の文字や図形等の情報を認識した場合には、表示制御手段は、表示画面の明るさを通常時の明るさ（出荷時に調整された明るさ、若しくは商品購入後にユーザ自身が再調整した明るさ）から自動的に一定レベルだけ暗くするように制御することが可能である。また、情報認識手段により入力画像の中の文字や図形等の情報を認識した場合には、表示制御手段は、強制的に表示画面をオフとし、音声のみを出力するように制御することが可能である。これにより、例えば視聴者が暗い場所で視聴していたり、テレビに接近して視聴していた場合には、明るさ（輝度）を下げたり、表示画面をオフすることで、視聴者にとって良くない視聴環境を解消することができる。
【００１６】
また、本発明の画像表示制御装置は、周囲の明るさを検出する照度検出手段をさらに備えており、前記表示制御手段は、画像の中に含まれている文字や図形等の認識による表示制御に際し、前記照度検出手段により検出された周囲の明るさが予め設定されている照度レベルより低い場合には、表示画面を暗くする制御または表示画面をオフにする制御を行うように構成してもよい。これにより、視聴者の実際の視聴環境に合わせたより的確な表示制御を行うことが可能となる。
【００１７】
また、本発明の画像表示制御装置は、視聴者までの距離を検出する距離検出手段をさらに備えており、前記表示制御手段は、画像の中に含まれている文字や図形等の認識による表示制御に際し、前記距離検出手段により検出された視聴者までの距離が予め設定されている距離より近い場合には、表示画面を暗くする制御または表示画面をオフにする制御を行うように構成してもよい。これにより、視聴者の実際の視聴環境に合わせたより的確な表示制御を行うことが可能となる。
【００１８】
また、本発明の画像表示制御装置は、視聴者を撮像する撮像手段をさらに備えており、前記表示制御手段は、画像の中に含まれている文字や図形等の認識による表示制御に際し、前記撮像手段のフォーカス機能によって得られた視聴者までの距離が予め設定されている距離より近い場合には、表示画面を暗くする制御または表示画面をオフにする制御を行うように構成してもよい。すなわち、本発明では、上記の照度検出手段や距離検出手段を、撮像手段であるカメラの距離検出機能（フォーカス機能）や照度検出機能によって兼用する構成としたものである。これにより、照度検出手段や距離検出手段を個別に設ける必要がなくなり、実質的に部品点数の削減につなげることができる。
【００１９】
ここで、距離検出機能として、撮像手段のフォーカス機能を利用するのではなく、撮像手段によって撮像された視聴者の顔サイズが予め設定されている理想位置における顔サイズより大きいか否かを判断し、大きい場合には、表示画面を暗くする制御または表示画面をオフにする制御を行うように構成してもよい。このような顔認識技術は、従来周知の技術である。
【発明の効果】
【００２０】
本発明によれば、入力画像の中の文字や図形等の画像を認識して文字情報や図形情報を取得する構成としているので、従来のように画像情報とは別にメッセージ情報が送信されてこなくても、画像の中に直接文字や図形が書き込まれているような画像から文字や図形等の情報を認識して、画像の表示制御を行うことができる。これにより、その応用範囲は非常に広いものとなり、新たな分野への技術展開が可能となる。
【発明を実施するための最良の形態】
【００２１】
以下、本発明の実施の形態について、図面を参照して説明する。
【００２２】
図１は、本発明の画像表示制御装置をテレビジョン受信装置に適用した場合の要部の電気的構成を示す機能ブロック図である。本実施形態のテレビジョン受信装置は、デジタル放送の受信が可能である。ただし、テレビジョン受信装置によるデジタル放送の映像及び音声の信号処理については従来周知の処理であるので、ここではＴＶ信号処理部として簡単な機能ブロックで示している。
【００２３】
本実施形態のテレビジョン受信装置は、ＴＶ制御系２０が筐体内に格納されたもので、ＴＶ制御系２０全体を制御するＴＶマイコン２１を備えている。
【００２４】
すなわち、デジタル放送のテレビジョン信号を受信するチューナ回路２２の出力は、デジタル放送信号の信号処理を行うＴＶ信号処理部２４に接続されており、ＴＶ信号処理部２４の出力は、ＣＲＴまたは液晶パネル等のモニタ部２６に接続されている。また、ＴＶ信号処理部２４の出力は、増幅器２７を介して内部スピーカ２８に接続されている。さらに、ＴＶ信号処理部２４の出力は、入力画像から文字や図形等の情報を認識する情報認識部３１に接続されており、情報認識部３１の出力はＴＶマイコン２１に接続されている。
【００２５】
情報認識部３１は、入力画像の全体若しくは特定領域に対して認識処理を行うことによって、その入力画像に含まれている文字や図形の画像を認識するものである。具体的には、入力画像を元にＯＣＲ方式により、全体若しくは特定領域に対して認識処理を施すことによって、画像に含まれている文字や図形等の画像を文字情報や図形情報として抽出することが可能である。
【００２６】
ＴＶ信号処理部２４は、テレビジョン受信装置の各種設定を行うためのメニュー画面やチャンネル選局時のチャンネル選局画面をモニタ部２６に表示するための各種設定画面を表示するＯＳＤ回路２４ａを備えている。また、ＴＶ信号処理部２４は、例えばＨＤＭＩ規格に準拠したデジタルビデオ信号の入出力端子であるＨＤＭＩ端子２４ｂを備えており、ＨＤＭＩ規格に準拠した他の電子機器である例えばＤＶＤレコーダ６０のＨＤＭＩ端子６０ａとＨＤＭＩケーブル４０を介して接続可能な構成となっている。さらに、ＴＶ信号処理部２４は、各種メモリカード等の装着が可能な外部入力部３０の接続端子２４ｃを備えている。
【００２７】
ＴＶ信号処理部２４は、チューナ回路２２を介して受信したデジタルのテレビジョン信号を映像信号や音声信号に復号し、映像信号をモニタ部２６に表示するとともに音声信号を内部スピーカ２８から出力する。また、復号した映像信号を情報認識部３１に出力する。さらに、外部入力部３０に装着されたメモリカードに保存されている画像情報を復号し、モニタ部２６に表示する。ＴＶマイコン２１は、このようなＴＶ信号処理部２４の信号処理動作を制御する。
【００２８】
ＴＶマイコン２１には、主に視聴者を撮像することによって視聴者までの距離や周囲の明るさ（照度）等の情報を取得するためのカメラ部３１が接続されているとともに、リモコン送信器４１からの各種操作信号を受信する受信部２５の出力が接続されている。ＴＶマイコン２１は、リモコン送信器４１から送信されてくる各種操作信号に基づいて、ＴＶ制御系２０の動作制御や、ＤＶＤレコーダ６０の制御処理を行うようになっている。また、ＴＶマイコン２１は、カメラ部３１から取得した距離情報や明るさ情報等に基づいて、モニタ部２６に表示されている画像の表示制御を行うのであるが、この画像表示制御については後述する。
【００２９】
また、ＴＶマイコン２１にはメモリ部２９が接続されている。メモリ部２９には、リモコン送信器４１の操作によるオートプリセット等によって各チャンネルが設定されたチャンネルテーブルの他、画像表示を制御するための条件となる文字情報テーブルや図形情報テーブル、及び後述する文字・図形変換テーブルなどが予め格納（記憶）されている。
【００３０】
図２（ａ）は、文字情報テーブルの一構成例を示している。
【００３１】
本実施形態では、画像の明るさを暗くしたり、音声はそのままで表示画像のみをオフにする制御を行うため、その条件となるような文字が予め登録されている。具体的には、部屋の明るさに関連すると思われる言葉である、「暗」、「明」といった漢字一字のものから、「暗い」、「明るい」、「明るく」といった読みまで含めたもの、さらには、「暗い場所」、「十分明るく」といった熟語まで、幅広く登録されている。また、視聴距離に関連すると思われる言葉である、「距離」、「離」といった漢字のみの文字のものから、「離れて」、「離れる」といった読みまで含めたもの、さらには、「十分離れて」といった熟語まで、幅広く登録されている。
【００３２】
図２（ｂ）は、図形情報テーブルの一構成例を示している。
【００３３】
本実施形態では、画像の明るさを暗くしたり、音声はそのままで表示画像のみをオフにする制御を行うため、その条件となるような図形が予め登録されている。具体的には、部屋の明るさに関連する例えば照明器具のような図形が登録されている。また、視聴距離に関連する例えばスピーカのような図形が登録されている。ただし、このような単純な図形ではなく、もっと抽象的にデザイン化された図形であってもよい。
【００３４】
次に、上記構成のテレビジョン受信装置において、画面表示制御を行う各種実施例について説明する。
【００３５】
＜実施例１＞
本実施例１は、入力画像に文字が含まれている場合に、その文字自体の意味に関係なく画像表示制御を行う実施例である。従って、本実施例１の場合には、カメラ部３５やメモリ部２９の文字情報テーブルは必須ではない。以下、図３に示すフローチャートを参照して本実施例１の画像表示制御処理について説明する。
【００３６】
チューナ回路２２を介して受信したテレビジョン信号の映像信号をモニタ部２６に表示している状態において（ステップＳ１）、情報認識部３１は、ＴＶ信号処理部２４において復号された映像信号に基づく画像情報を元にＯＣＲ方式により、全体若しくは特定領域に対して認識処理を施すことによって、画像情報に含まれている文字画像を文字情報として抽出する（ステップＳ２）。そして、文字情報が抽出されたか否かを判断し（ステップＳ３）、文字情報が抽出された場合（ステップＳ３でＹｅｓと判断された場合）には、その時点で表示画面を暗くする制御を行うか、若しくは表示画面をオフにする制御を行う（ステップＳ４）。ここで、表示画面を暗くするのか、表示画面をオフにするのかについては、予めいずれかの制御を行うようにプログラムされているものとする。また、表示画面を暗くする場合、どの程度まで暗くするのかについても事前にプログラムされているものとする。
【００３７】
このように、本実施例１では、入力画像の中に文字画像が含まれている場合には、その文字画像の示す文字情報の意味に関係なく、無条件で画像表示制御を行うように構成している。これにより、入力画像の中に含まれている文字画像が、部屋を明るくして十分離れて視聴することを視聴者に喚起するようなメッセージであった場合には、表示画面を暗くすることで、仮に視聴者が暗い部屋で視聴していた場合でも、暗い部屋で明るい画面を視聴するといった、視聴者にとって良くない視聴環境を解消することができる。
【００３８】
＜実施例２＞
本実施例２は、入力画像に文字が含まれている場合に、部屋の明るさまたは視聴者までの距離を確認し、部屋の明るさが一定の明るさより暗い場合、または視聴者までの距離が一定の距離より近い場合には、画像表示制御を行う実施例である。従って、本実施例２の場合には、カメラ部３５は必須であるが、メモリ部２９の文字情報テーブルは必須ではない。以下、図４に示すフローチャートを参照して本実施例２の画像表示制御処理について説明する。
【００３９】
チューナ回路２２を介して受信したテレビジョン信号の映像信号をモニタ部２６に表示している状態において（ステップＳ１１）、情報認識部３１は、ＴＶ信号処理部２４において復号された映像信号に基づく画像情報を元にＯＣＲ方式により、全体若しくは特定領域に対して認識処理を施すことによって、画像情報に含まれている文字画像を文字情報として抽出する（ステップＳ１２）。そして、文字情報が抽出されたか否かを判断し（ステップＳ１３）、文字情報が抽出された場合（ステップＳ１３でＹｅｓと判断された場合）には、カメラ部３５により視聴者を含む周辺を撮影し、そのときのフォーカス機能による視聴者までの距離情報と、周辺の明るさを示す照度情報とをＴＶマイコン２１に送信する（ステップＳ１４）。
【００４０】
ＴＶマイコン２１は、取得した照度情報の示す値が予め設定されている基準照度レベルより低いか否か（ステップＳ１５）、及び取得した距離情報の示す値が予め設定されている基準距離より近いか否か（ステップＳ１６）をそれぞれ判断する。その結果、照度情報の示す値が基準照度レベルより低い場合（ステップＳ１５でＹｅｓと判断された場合）、または距離情報の示す値が基準距離より近い場合（ステップＳ１６でＹｅｓと判断された場合）には、その時点で表示画面を暗くする制御を行うか、若しくは表示画面をオフにする制御を行う（ステップＳ１７）。ここで、表示画面を暗くするのか、表示画面をオフにするのかについては、予めいずれかの制御を行うようにプログラムされているものとする。また、表示画面を暗くする場合、どの程度まで暗くするのかについても事前にプログラムされているものとする。
【００４１】
一方、照度情報の示す値が基準照度レベルより高い場合（ステップＳ１５でＮｏと判断された場合）、または距離情報の示す値が基準距離より遠い場合（ステップＳ１６でＮｏと判断された場合）には、何もすることなく、現在の画像表示の状態を維持する（ステップＳ１８）。
【００４２】
このように、本実施例２では、入力画像の中に文字画像が含まれている場合には、その時点で部屋の明るさまたは視聴者までの距離を確認し、部屋の明るさが一定の明るさより暗い場合、または視聴者までの距離が一定の距離より近い場合にのみ、画像表示制御を行うように構成している。これにより、入力画像の中に含まれている文字画像が、「部屋を明るくして十分離れて視聴して下さい。」といったメッセージであった場合、部屋が暗く視聴距離が近い場合には、表示画面を暗くし、または表示画面をオフすることで、視聴者にとって良くない視聴環境を解消することができる。
【００４３】
なお、上記実施例２では、視聴者までの距離と部屋の明るさを検出するためにカメラ部３５を備えているが、カメラ部３５ではなく、通常の距離センサや照度センサを用いて視聴者までの距離や部屋の明るさを検出するように構成してもよい。この場合には、カメラ部３５は必ずしも必要ではない。
【００４４】
＜実施例３＞
本実施例３は、入力画像に文字情報が含まれている場合に、その文字情報の意味を解析し、その解析結果に基づいて画像表示制御を行う実施例である。従って、本実施例３の場合には、カメラ部３５は必須ではないが、メモリ部２９の文字情報テーブルは必須である。以下、図５に示すフローチャートを参照して本実施例２の画像表示制御処理について説明する。
【００４５】
チューナ回路２２を介して受信したテレビジョン信号の映像信号をモニタ部２６に表示している状態において（ステップＳ２１）、情報認識部３１は、ＴＶ信号処理部２４において復号された映像信号に基づく画像情報を元にＯＣＲ方式により、全体若しくは特定領域に対して認識処理を施すことによって、画像情報に含まれている文字画像を文字情報として抽出する（ステップＳ２２）。そして、文字情報が抽出されたか否かを判断し（ステップＳ２３）、文字情報が抽出された場合（ステップＳ２３でＹｅｓと判断された場合）には、ＴＶマイコン２１は、抽出された文字情報をキーとしてメモリ部２９に記憶されている文字情報テーブルを参照し、抽出された文字情報が文字情報テーブルに格納されている少なくとも一つの文字情報と一致するか否かを判断する（ステップＳ２４）。
【００４６】
その結果、一致する文字情報がない場合（ステップＳ２４でＮｏと判断された場合）には、何もすることなく、現在の画像表示の状態を維持する（ステップＳ２６）。
【００４７】
一方、一致する文字情報がある場合には、その時点で表示画面を暗くする制御を行うか、若しくは表示画面をオフにする制御を行う（ステップＳ２５）。ここで、表示画面を暗くするのか、表示画面をオフにするのかについては、予めいずれかの制御を行うようにプログラムされているものとする。また、表示画面を暗くする場合、どの程度まで暗くするのかについても事前にプログラムされているものとする。
【００４８】
このように、本実施例３では、入力画像の中に文字画像が含まれている場合に、その文字画像の示す文字情報が文字情報テーブルに格納されている文字情報と一致するか否かを判断し、一致する場合にのみ画像表示制御を行うように構成している。これにより、入力画像の中に含まれている文字画像が、「部屋を明るくして十分離れて視聴して下さい。」といったメッセージであった場合には、「明るく」、「離れて」といった文字が一致するため、この場合には表示画面を暗くすることで、仮に視聴者が暗い部屋で視聴していた場合でも、暗い部屋で明るい画面を視聴するといった、視聴者にとって良くない視聴環境を解消することができる。
【００４９】
＜実施例４＞
本実施例４は、入力画像に文字情報が含まれている場合に、その文字情報が文字情報テーブルに格納されているか否かを確認し、格納されている場合には、部屋の明るさまたは視聴者までの距離を確認し、部屋の明るさが一定の明るさより暗い場合、または視聴者までの距離が一定の距離より近い場合には、画像表示制御を行う実施例である。従って、本実施例４の場合には、カメラ部３５とメモリ部２９の文字情報テーブルは必須である。以下、図６に示すフローチャートを参照して本実施例３の画像表示制御処理について説明する。
【００５０】
チューナ回路２２を介して受信したテレビジョン信号の映像信号をモニタ部２６に表示している状態において（ステップＳ３１）、情報認識部３１は、ＴＶ信号処理部２４において復号された映像信号に基づく画像情報を元にＯＣＲ方式により、全体若しくは特定領域に対して認識処理を施すことによって、画像情報に含まれている文字画像を文字情報として抽出する（ステップＳ３２）。そして、文字情報が抽出されたか否かを判断し（ステップＳ３３）、文字情報が抽出された場合（ステップＳ３３でＹｅｓと判断された場合）には、ＴＶマイコン２１は、抽出された文字情報をキーとしてメモリ部２９に記憶されている文字情報テーブルを参照し、抽出された文字情報が文字情報テーブルに格納されている少なくとも一つの文字情報と一致するか否かを判断する（ステップＳ３４）。
【００５１】
その結果、一致する文字情報がない場合（ステップＳ３４でＮｏと判断された場合）には、何もすることなく、現在の画像表示の状態を維持する（ステップＳ３９）。
【００５２】
一方、一致する文字情報がある場合（ステップＳ３４でＹｅｓと判断された場合）には、次に、カメラ部３５により視聴者を含む周辺を撮影し、そのときのフォーカス機能による視聴者までの距離情報と、周辺の明るさを示す照度情報とをＴＶマイコン２１に送信する（ステップＳ３５）。
【００５３】
ＴＶマイコン２１は、取得した照度情報の示す値が予め設定されている基準照度レベルより低いか否か（ステップＳ３６）、及び取得した距離情報の示す値が予め設定されている基準距離より近いか否か（ステップＳ３７）をそれぞれ判断する。その結果、照度情報の示す値が基準照度レベルより低い場合（ステップＳ３６でＹｅｓと判断された場合）、または距離情報の示す値が基準距離より近い場合（ステップＳ３７でＹｅｓと判断された場合）には、その時点で表示画面を暗くする制御を行うか、若しくは表示画面をオフにする制御を行う（ステップＳ３８）。ここで、表示画面を暗くするのか、表示画面をオフにするのかについては、予めいずれかの制御を行うようにプログラムされているものとする。また、表示画面を暗くする場合、どの程度まで暗くするのかについても事前にプログラムされているものとする。
【００５４】
一方、照度情報の示す値が基準照度レベルより高い場合（ステップＳ３６でＮｏと判断された場合）、または距離情報の示す値が基準距離より遠い場合（ステップＳ３７でＮｏと判断された場合）には、何もすることなく、現在の画像表示の状態を維持する（ステップＳ３９）。
【００５５】
このように、本実施例４では、入力画像の中に文字画像が含まれており、その文字画像の意味する文字情報が文字情報テーブルに格納されている文字情報の一つと一致する場合には、その時点で部屋の明るさまたは視聴者までの距離を確認し、部屋の明るさが一定の明るさより暗い場合、または視聴者までの距離が一定の距離より近い場合にのみ、画像表示制御を行うように構成している。これにより、入力画像の中に含まれている文字画像が、「部屋を明るくして十分離れて視聴して下さい。」といったメッセージであった場合、部屋が暗く視聴距離が近い場合には、表示画面を暗くし、または表示画面をオフすることで、視聴者にとって良くない視聴環境を解消することができる。
【００５６】
＜実施例５＞
本実施例５は、入力画像に図形が含まれている場合に、その図形自体の意味に関係なく画像表示制御を行う実施例である。従って、本実施例５の場合には、カメラ部３５やメモリ部２９の図形情報テーブルは必須ではない。なお、本実施例５の処理は、上記実施例１の処理とほとんと同じであるので、ここでは、図３に示すフローチャートを参照して本実施例５の画像表示制御処理について説明する。
【００５７】
チューナ回路２２を介して受信したテレビジョン信号の映像信号をモニタ部２６に表示している状態において（ステップＳ１）、情報認識部３１は、ＴＶ信号処理部２４において復号された映像信号に基づく画像情報を元にＯＣＲ方式により、全体若しくは特定領域に対して認識処理を施すことによって、画像情報に含まれている図形画像を図形情報として抽出する（ステップＳ２）。そして、図形情報が抽出されたか否かを判断し（ステップＳ３）、図形情報が抽出された場合（ステップＳ３でＹｅｓと判断された場合）には、その時点で表示画面を暗くする制御を行うか、若しくは表示画面をオフにする制御を行う（ステップＳ４）。ここで、表示画面を暗くするのか、表示画面をオフにするのかについては、予めいずれかの制御を行うようにプログラムされているものとする。また、表示画面を暗くする場合、どの程度まで暗くするのかについても事前にプログラムされているものとする。
【００５８】
このように、本実施例５では、入力画像の中に図形画像が含まれている場合には、その図形画像の示す図形の意味に関係なく、無条件で画像表示制御を行うように構成している。これにより、入力画像の中に含まれている図形画像が、部屋を明るくして十分離れて視聴することを視聴者にイメージさせるような図形であった場合には、表示画面を暗くすることで、仮に視聴者が暗い部屋で視聴していた場合でも、暗い部屋で明るい画面を視聴するといった、視聴者にとって良くない視聴環境を解消することができる。
【００５９】
＜実施例６＞
本実施例６は、入力画像に図形が含まれている場合に、部屋の明るさまたは視聴者までの距離を確認し、部屋の明るさが一定の明るさより暗い場合、または視聴者までの距離が一定の距離より近い場合には、画像表示制御を行う実施例である。従って、本実施例６の場合には、カメラ部３５は必須であるが、メモリ部２９の図形情報テーブルは必須ではない。なお、本実施例６の処理は、上記実施例２の処理とほとんと同じであるので、ここでは、図４に示すフローチャートを参照して本実施例６の画像表示制御処理について説明する。
【００６０】
チューナ回路２２を介して受信したテレビジョン信号の映像信号をモニタ部２６に表示している状態において（ステップＳ１１）、情報認識部３１は、ＴＶ信号処理部２４において復号された映像信号に基づく画像情報を元にＯＣＲ方式により、全体若しくは特定領域に対して認識処理を施すことによって、画像情報に含まれている図形画像を図形情報として抽出する（ステップＳ１２）。そして、図形情報が抽出されたか否かを判断し（ステップＳ１３）、図形情報が抽出された場合（ステップＳ１３でＹｅｓと判断された場合）には、カメラ部３５により視聴者を含む周辺を撮影し、そのときのフォーカス機能による視聴者までの距離情報と、周辺の明るさを示す照度情報とをＴＶマイコン２１に送信する（ステップＳ１４）。
【００６１】
ＴＶマイコン２１は、取得した照度情報の示す値が予め設定されている基準照度レベルより低いか否か（ステップＳ１５）、及び取得した距離情報の示す値が予め設定されている基準距離より近いか否か（ステップＳ１６）をそれぞれ判断する。その結果、照度情報の示す値が基準照度レベルより低い場合（ステップＳ１５でＹｅｓと判断された場合）、または距離情報の示す値が基準距離より近い場合（ステップＳ１６でＹｅｓと判断された場合）には、その時点で表示画面を暗くする制御を行うか、若しくは表示画面をオフにする制御を行う（ステップＳ１７）。ここで、表示画面を暗くするのか、表示画面をオフにするのかについては、予めいずれかの制御を行うようにプログラムされているものとする。また、表示画面を暗くする場合、どの程度まで暗くするのかについても事前にプログラムされているものとする。
【００６２】
一方、照度情報の示す値が基準照度レベルより高い場合（ステップＳ１５でＮｏと判断された場合）、または距離情報の示す値が基準距離より遠い場合（ステップＳ１６でＮｏと判断された場合）には、何もすることなく、現在の画像表示の状態を維持する（ステップＳ１８）。
【００６３】
このように、本実施例６では、入力画像の中に図形画像が含まれている場合には、その時点で部屋の明るさまたは視聴者までの距離を確認し、部屋の明るさが一定の明るさより暗い場合、または視聴者までの距離が一定の距離より近い場合にのみ、画像表示制御を行うように構成している。これにより、入力画像の中に含まれている図形画像が、部屋を明るくして十分離れて視聴することを視聴者にイメージさせるような図形であった場合、部屋が暗く視聴距離が近い場合には、表示画面を暗くし、または表示画面をオフすることで、視聴者にとって良くない視聴環境を解消することができる。
【００６４】
なお、上記実施例６では、視聴者までの距離と部屋の明るさを検出するためにカメラ部３５を備えているが、カメラ部３５ではなく、通常の距離センサや照度センサを用いて視聴者までの距離や部屋の明るさを検出するように構成してもよい。この場合には、カメラ部３５は必ずしも必要ではない。
【００６５】
＜実施例７＞
本実施例７は、入力画像に図形情報が含まれている場合に、その図形情報の意味を解析し、その解析結果に基づいて画像表示制御を行う実施例である。従って、本実施例７の場合には、カメラ部３５は必須ではないが、メモリ部２９の図形情報テーブルは必須である。なお、本実施例７の処理は、上記実施例３の処理とほとんと同じであるので、ここでは、図５に示すフローチャートを参照して本実施例７の画像表示制御処理について説明する。
【００６６】
チューナ回路２２を介して受信したテレビジョン信号の映像信号をモニタ部２６に表示している状態において（ステップＳ２１）、情報認識部３１は、ＴＶ信号処理部２４において復号された映像信号に基づく画像情報を元にＯＣＲ方式により、全体若しくは特定領域に対して認識処理を施すことによって、画像情報に含まれている図形画像を図形情報として抽出する（ステップＳ２２）。そして、図形情報が抽出されたか否かを判断し（ステップＳ２３）、図形情報が抽出された場合（ステップＳ２３でＹｅｓと判断された場合）には、ＴＶマイコン２１は、抽出された図形情報をキーとしてメモリ部２９に記憶されている図形情報テーブルを参照し、抽出された図形情報が図形情報テーブルに格納されている少なくとも一つの図形情報と一致するか否かを判断する（ステップＳ２４）。
【００６７】
その結果、一致する図形情報がない場合（ステップＳ２４でＮｏと判断された場合）には、何もすることなく、現在の画像表示の状態を維持する（ステップＳ２６）。
【００６８】
一方、一致する図形情報がある場合には、その時点で表示画面を暗くする制御を行うか、若しくは表示画面をオフにする制御を行う（ステップＳ２５）。ここで、表示画面を暗くするのか、表示画面をオフにするのかについては、予めいずれかの制御を行うようにプログラムされているものとする。また、表示画面を暗くする場合、どの程度まで暗くするのかについても事前にプログラムされているものとする。
【００６９】
このように、本実施例７では、入力画像の中に図形画像が含まれている場合に、その図形画像の示す図形情報が図形情報テーブルに格納されている図形情報と一致するか否かを判断し、一致する場合にのみ画像表示制御を行うように構成している。これにより、入力画像の中に含まれている図形画像が、部屋を明るくして十分離れて視聴することを視聴者にイメージさせるような図形であった場合には、表示画面を暗くすることで、仮に視聴者が暗い部屋で視聴していた場合でも、暗い部屋で明るい画面を視聴するといった、視聴者にとって良くない視聴環境を解消することができる。
【００７０】
＜実施例８＞
本実施例８は、入力画像に図形情報が含まれている場合に、その図形情報が図形情報テーブルに格納されているか否かを確認し、格納されている場合には、部屋の明るさまたは視聴者までの距離を確認し、部屋の明るさが一定の明るさより暗い場合、または視聴者までの距離が一定の距離より近い場合には、画像表示制御を行う実施例である。従って、本実施例８の場合には、カメラ部３５とメモリ部２９の図形情報テーブルは必須である。なお、本実施例８の処理は、上記実施例４の処理とほとんと同じであるので、ここでは、図６に示すフローチャートを参照して本実施例８の画像表示制御処理について説明する。
【００７１】
チューナ回路２２を介して受信したテレビジョン信号の映像信号をモニタ部２６に表示している状態において（ステップＳ３１）、情報認識部３１は、ＴＶ信号処理部２４において復号された映像信号に基づく画像情報を元にＯＣＲ方式により、全体若しくは特定領域に対して認識処理を施すことによって、画像情報に含まれている図形画像を図形情報として抽出する（ステップＳ３２）。そして、図形情報が抽出されたか否かを判断し（ステップＳ３３）、図形情報が抽出された場合（ステップＳ３３でＹｅｓと判断された場合）には、ＴＶマイコン２１は、抽出された図形情報をキーとしてメモリ部２９に記憶されている図形情報テーブルを参照し、抽出された図形情報が図形情報テーブルに格納されている少なくとも一つの図形情報と一致するか否かを判断する（ステップＳ３４）。
【００７２】
その結果、一致する図形情報がない場合（ステップＳ３４でＮｏと判断された場合）には、何もすることなく、現在の画像表示の状態を維持する（ステップＳ３９）。
【００７３】
一方、一致する図形情報がある場合（ステップＳ３４でＹｅｓと判断された場合）には、次に、カメラ部３５により視聴者を含む周辺を撮影し、そのときのフォーカス機能による視聴者までの距離情報と、周辺の明るさを示す照度情報とをＴＶマイコン２１に送信する（ステップＳ３５）。
【００７４】
ＴＶマイコン２１は、取得した照度情報の示す値が予め設定されている基準照度レベルより低いか否か（ステップＳ３６）、及び取得した距離情報の示す値が予め設定されている基準距離より近いか否か（ステップＳ３７）をそれぞれ判断する。その結果、照度情報の示す値が基準照度レベルより低い場合（ステップＳ３６でＹｅｓと判断された場合）、または距離情報の示す値が基準距離より近い場合（ステップＳ３７でＹｅｓと判断された場合）には、その時点で表示画面を暗くする制御を行うか、若しくは表示画面をオフにする制御を行う（ステップＳ３８）。ここで、表示画面を暗くするのか、表示画面をオフにするのかについては、予めいずれかの制御を行うようにプログラムされているものとする。また、表示画面を暗くする場合、どの程度まで暗くするのかについても事前にプログラムされているものとする。
【００７５】
一方、照度情報の示す値が基準照度レベルより高い場合（ステップＳ３６でＮｏと判断された場合）、または距離情報の示す値が基準距離より遠い場合（ステップＳ３７でＮｏと判断された場合）には、何もすることなく、現在の画像表示の状態を維持する（ステップＳ３９）。
【００７６】
このように、本実施例８では、入力画像の中に図形画像が含まれており、その図形画像の意味する図形情報が図形情報テーブルに格納されている図形情報の一つと一致する場合には、その時点で部屋の明るさまたは視聴者までの距離を確認し、部屋の明るさが一定の明るさより暗い場合、または視聴者までの距離が一定の距離より近い場合にのみ、画像表示制御を行うように構成している。これにより、入力画像の中に含まれている図形画像が、部屋を明るくして十分離れて視聴することを視聴者にイメージさせるような図形であった場合、部屋が暗く視聴距離が近い場合には、表示画面を暗くし、または表示画面をオフすることで、視聴者にとって良くない視聴環境を解消することができる。
【００７７】
＜実施例９＞
本実施例９は、入力画像に文字や図形等の情報が含まれている場合に、その文字や図形等の情報に対応付けられている制御内容に基づいて画像表示制御を行う実施例である。従って、本実施例９の場合には、カメラ部３５は必須ではないが、メモリ部２９の文字・図形変換テーブルは必須である。
【００７８】
図７は、本実施例９に係わる文字・図形変換テーブルの一構成例を示している。
【００７９】
この文字・情報変換テーブルは、予めユーザによって決定された文字や図形が制御内容に対応付けられて登録されている。この例では、文字Ａには制御内容として「明るさ５０％」が登録され、文字Ｂには制御内容として「明るさ３０％」が登録されている。また、図形Ａには制御内容として「音量５０％」が登録され、図形Ｂには制御内容として「音量３０％」が登録されている。
【００８０】
このような文字・図形変換テーブルを用いて、以下、図８に示すフローチャートを参照して本実施例９の画像表示制御処理について説明する。
【００８１】
チューナ回路２２を介して受信したテレビジョン信号の映像信号をモニタ部２６に表示している状態において（ステップＳ４１）、情報認識部３１は、ＴＶ信号処理部２４において復号された映像信号に基づく画像情報を元にＯＣＲ方式により、全体若しくは特定領域に対して認識処理を施すことによって、画像情報に含まれている文字や図形等の画像を文字や図形等の情報として抽出する（ステップＳ４２）。そして、文字や図形等の情報が抽出されたか否かを判断し（ステップＳ４３）、文字や図形等の情報が抽出された場合（ステップＳ４３でＹｅｓと判断された場合）には、ＴＶマイコン２１は、抽出された文字や図形等の情報をキーとしてメモリ部２９に記憶されている図７に示す文字・図形変換テーブルを参照し、抽出された文字や図形の情報が文字・図形変換テーブルに格納されている少なくとも一つの文字や図形の情報と一致するか否かを判断する（ステップＳ４４）。
【００８２】
その結果、一致する文字や図形の情報がない場合（ステップＳ４４でＮｏと判断された場合）には、何もすることなく、現在の画像表示の状態を維持する（ステップＳ４６）。
【００８３】
一方、一致する文字や図形の情報がある場合には、その一致する文字や図形に対応付けられている制御内容を抽出し、その制御内容に従って表示制御を行う（ステップＳ４５）。具体例を挙げて説明すると、一致した文字が例えば「文字Ａ」であり、かつ、一致した図形が例えば「図形Ｂ」であった場合には、ＴＶマイコン２１は、表示画面の明るさをその時点で５０％に低減し、出力音声を３０％に低減する制御を行う。
【００８４】
これにより、視聴者が例えば極めて暗い部屋環境において、大音量で視聴していた場合には、暗い部屋で明るい画面を大音量で視聴するといった、視聴者にとって良くない視聴環境を解消することができる。
【００８５】
＜実施例１０＞
本実施例１０は、入力画像に文字や図形等の情報が含まれている場合に、その文字や図形等の情報が図７に示す文字・画像変換テーブルに格納されているか否かを確認し、格納されている場合には、部屋の明るさまたは視聴者までの距離を確認し、部屋の明るさが一定の明るさより暗い場合、または視聴者までの距離が一定の距離より近い場合には、画像表示制御を行う実施例である。従って、本実施例１０の場合には、カメラ部３５とメモリ部２９の文字・図形変換テーブルは必須である。以下、図９に示すフローチャートを参照して本実施例１０の画像表示制御処理について説明する。
【００８６】
チューナ回路２２を介して受信したテレビジョン信号の映像信号をモニタ部２６に表示している状態において（ステップＳ５１）、情報認識部３１は、ＴＶ信号処理部２４において復号された映像信号に基づく画像情報を元にＯＣＲ方式により、全体若しくは特定領域に対して認識処理を施すことによって、画像情報に含まれている文字や図形等の画像を文字や図形等の情報として抽出する（ステップＳ５２）。そして、文字や図形等の情報が抽出されたか否かを判断し（ステップＳ５３）、文字や図形等の情報が抽出された場合（ステップＳ５３でＹｅｓと判断された場合）には、ＴＶマイコン２１は、抽出された文字や図形等の情報をキーとしてメモリ部２９に記憶されている文字・図形変換テーブルを参照し、抽出された文字や図形等の情報が文字・図形変換テーブルに格納されている少なくとも一つの文字や図形等の情報と一致するか否かを判断する（ステップＳ５４）。
【００８７】
その結果、一致する文字や図形等の情報がない場合（ステップＳ５４でＮｏと判断された場合）には、何もすることなく、現在の画像表示の状態を維持する（ステップＳ５９）。
【００８８】
一方、一致する文字や図形等の情報がある場合（ステップＳ５４でＹｅｓと判断された場合）には、次に、カメラ部３５により視聴者を含む周辺を撮影し、そのときのフォーカス機能による視聴者までの距離情報と、周辺の明るさを示す照度情報とをＴＶマイコン２１に送信する（ステップＳ５５）。
【００８９】
ＴＶマイコン２１は、取得した照度情報の示す値が予め設定されている基準照度レベルより低いか否か（ステップＳ５６）、及び取得した距離情報の示す値が予め設定されている基準距離より近いか否か（ステップＳ５７）をそれぞれ判断する。その結果、照度情報の示す値が基準照度レベルより低い場合（ステップＳ５６でＹｅｓと判断された場合）、または距離情報の示す値が基準距離より近い場合（ステップＳ５７でＹｅｓと判断された場合）には、文字・図形変換テーブルから一致する文字や図形に対応付けられている制御内容を抽出し、その制御内容に従って表示制御を行う（ステップＳ５８）。具体例を挙げて説明すると、一致した文字が例えば「文字Ｂ」であり、かつ、一致した図形が例えば「図形Ａ」であった場合には、ＴＶマイコン２１は、表示画面の明るさをその時点で３０％に低減し、出力音声を５０％に低減する制御を行う。
【００９０】
一方、照度情報の示す値が基準照度レベルより高い場合（ステップＳ５６でＮｏと判断された場合）、または距離情報の示す値が基準距離より遠い場合（ステップＳ５７でＮｏと判断された場合）には、何もすることなく、現在の画像表示の状態を維持する（ステップＳ５９）。
【００９１】
このように、本実施例１０では、入力画像の中に文字や図形等の画像が含まれており、その文字や図形等の情報が文字・図形変換テーブルに格納されている文字や図形等の情報の一つと一致する場合には、その時点で部屋の明るさまたは視聴者までの距離を確認し、部屋の明るさが一定の明るさより暗い場合、または視聴者までの距離が一定の距離より近い場合にのみ、一致した文字や図形に対応した制御内容に従って画像表示制御を行うように構成している。
【００９２】
これにより、視聴者が例えば極めて暗い部屋環境において、大音量で視聴していた場合には、暗い部屋で明るい画面を大音量で視聴するといった、視聴者にとって良くない視聴環境を解消することができる。
【００９３】
なお、上記実施例４，８，１０では、視聴者までの距離と部屋の明るさを検出するためにカメラ部３５を備えているが、カメラ部３５ではなく、通常の距離センサや照度センサを用いて視聴者までの距離や部屋の明るさを検出するように構成してもよい。この場合には、カメラ部３５は必ずしも必要ではない。
【００９４】
また、上記実施例２，４，６，８，１０では、視聴者までの距離を計測するのにカメラ部３５のフォーカス機能を利用して直接計測しているが、カメラ部３５によって撮像された視聴者の顔画像の輪郭（顔サイズ）が、例えばメモリ部２９に予め格納されている理想位置（標準距離）における顔サイズより大きい場合に、視聴者の視聴距離が標準距離より近いと判断するようにしてもよい。このような顔認識技術及び顔輪郭の抽出技術は従来周知の技術であるので、ここでは詳細な説明を省略する。
【００９５】
また、上記各実施例１〜１０では、チューナ回路２２によって受信したテレビジョン信号の画像表示制御について説明しているが、接続されたＤＶＤレコーダ６０に装填されたディスクの再生画像に含まれている文字や図形の情報に基づいて画像表示制御を行うことも可能である。
【００９６】
さらに、上記実施形態では、画像表示制御の例として、テレビアニメのような放送信号の表示制御を例示しているが、このような放送信号の表示制御に限定されるものではない。例えば、駅などに掲示されているポスターをデジタルカメラで撮影し、その画像データを外部入力部３０から本装置に取り込むことにより、情報認識部３１においてその入力されたポスターの撮影画像の中に含まれている文字や図形等の情報を認識し、その認識結果に基づいて表示制御を行うことも可能である。また、このときの表示制御も、上記実施例１〜８に示したような表示画面の明るさ制御やオン、オフ制御に限定されるものではない。すなわち、本発明の応用範囲は非常に広いものである。
【図面の簡単な説明】
【００９７】
【図１】本発明の画像表示制御装置をテレビジョン受信装置に適用した場合の要部の電気的構成を示す機能ブロック図である。
【図２】本発明の実施形態に係る文字情報テーブルと図形情報テーブルの構成例を示す説明図である。
【図３】実施例１，５の画像表示制御処理を説明するためのフローチャートである。
【図４】実施例２，６の画像表示制御処理を説明するためのフローチャートである。
【図５】実施例３，７の画像表示制御処理を説明するためのフローチャートである。
【図６】実施例４，８の画像表示制御処理を説明するためのフローチャートである。
【図７】本発明の実施形態に係る文字・図形変換テーブルの構成例を示す説明図である。
【図８】実施例９の画像表示制御処理を説明するためのフローチャートである。
【図９】実施例１０の画像表示制御処理を説明するためのフローチャートである。
【符号の説明】
【００９８】
２０  ＴＶ制御系
２１  ＴＶマイコン
２２  チューナ回路
２４  ＴＶ信号処理部
２４ａ  ＯＳＤ回路
２４ｂ  ＨＤＭＩ端子
２４ｃ  外部入力端子
２５  受信部
２６  モニタ部
２７  増幅器
２８  内部スピーカ
２９  メモリ部
３０  外部入力部
３１  情報認識部
３５  カメラ部
４０  ＨＤＭＩケーブル
４１  リモコン送信器
６０  ＤＶＤレコーダ
６０ａ  ＨＤＭＩ端子
【図１】
2009188871.tif 000003
【図２】
2009188871.tif 000004
【図３】
2009188871.tif 000005
【図４】
2009188871.tif 000006
【図５】
2009188871.tif 000007
【図６】
2009188871.tif 000008
【図７】
2009188871.tif 000009
【図８】
2009188871.tif 000010
【図９】
2009188871.tif 000011